(57)【要約】【課題】そのまま使用に供することができ、しかもトイレットペーパーを、片手で、容易に、最後まで取り出すことができるトイレットペーパー包装品とする。【解決手段】複数枚のトイレットペーパー２が積層されてなる積層体３と、この積層体３を包装し、かつトイレットペーパー２の取出口６が形成された包装材４と、を備える。この包装材４の上端部４Ｃは、トイレットホルダー９０に掛止されて吊るされる。そして、取出口６が包装材４の製品前面４Ａとなる部位に形成されて、積層体３が製品前後方向を積層方向して包装されているとともに、包装材４が柔軟性シートで形成される。【選択図】図１
2007054210.tif 000002
【特許請求の範囲】
【請求項１】
複数枚のトイレットペーパーが積層されてなるトイレットペーパー積層体と、この積層体を包装し、かつ前記トイレットペーパーの取出口が形成された包装材と、を有し、この包装材の上端部がトイレットホルダーに掛止されて吊るされるトイレットペーパー包装品であって、
前記取出口が前記包装材の製品前面となる部位に形成されて、前記積層体が製品前後方向を積層方向として包装されているとともに、前記包装材が柔軟性シートで形成されている、ことを特徴とするトイレットペーパー包装品。
【請求項２】
前記積層体後面の少なくとも上端部が、前記包装材の製品後面となる部位に接着されている、請求項１記載のトイレットペーパー包装品。
【請求項３】
前記包装材の前記取出口を除いた少なくとも上端部周りに、弾性伸縮部材が伸張状態で固定されている、請求項１又は請求項２記載のトイレットペーパー包装品。
【請求項４】
隣接積層されたトイレットペーパーの端部同士が、取出時の負荷で切断される程度に接続されている、請求項１〜３のいずれか１項に記載のトイレットペーパー包装品。
【請求項５】
前記包装材の上端部が前記積層体の上方において折り畳まれ、かつ、この折り畳み部にミシン目が形成されており、
このミシン目を裂いて、前記折り畳み部に前記トイレットホルダーとの接続部材を収納可能とされ、又は、前記折り畳み部に収納された前記接続部材を露出可能とされている、請求項１〜４のいずれか１項に記載のトイレットペーパー包装品。
【請求項６】
前記包装材の上端部が、前記積層体の上方においてシールされた第１のシール部と、この第１のシール部の上方に設けられた前記トイレットホルダーとの接続部材の収納部と、この収納部の上方においてシールされた第２のシール部と、を有し、
前記収納部にミシン目が形成されており、
このミシン目を裂いて、前記収納部に前記接続部材を収納可能とされ、又は、前記収納部に収納された前記接続部材を露出可能とされている、請求項１〜４のいずれか１項に記載のトイレットペーパー包装品。
【請求項７】
前記包装材の上端部に、上下方向に折り畳み可能な前記トイレットホルダーとの接続部材が取り付けられている、請求項１〜４のいずれか１項に記載のトイレットペーパー包装品。
【発明の詳細な説明】
【技術分野】
【０００１】
本発明は、トイレットペーパー包装品に関するものである。
【背景技術】
【０００２】
トイレットペーパー包装品としては、例えば、吊り下げ用の穴が形成されたフィルム等からなる包装材に、ロール状のトイレットペーパーが包装されてなるものがある（例えば、特許文献１参照）。しかしながら、このトイレットペーパー包装品は、そのまま使用に供するためのものではなく、衛生的に保管するためのものである。吊り下げ用の穴も、トイレットホルダーではなくトイレ片隅のフック等に吊り下げるためのものにすぎない。
一方、そのまま使用に供するためのトイレットペーパー包装品としては、トイレットペーパーの取出口が形成された紙等の包装材からなる容器に、複数枚のトイレットペーパーが積層されてなるトイレットペーパー積層体が包装されてなるものがある（例えば、特許文献２参照。）。このトイレットペーパー包装品は、トイレットペーパーが積層体の状態で包装されているため、例えば、片手でも取り出すことができるという利点を有する。しかしながら、この包装品においては、取出口が製品上面又は下面に形成されているため、本包装品の設置位置によっては、トイレットペーパーが取り出しにくくなる場合がある。そこで、この従来の包装品を応用して、取出口を製品前面に形成することも考えられるが、取出口を製品前面に形成すると、トイレットペーパー積層体の積層方向が、製品前後方向になるため、特にトイレットペーパーが残り少なくなってくると、トイレットペーパー積層体が容器内において下方に崩れてしまいトイレットペーパーを最後まで取り出すことができなくなるという問題がある。
【特許文献１】特開平１０−２８６１９５号公報
【特許文献２】特開２００１−７８９１９号公報
【発明の開示】
【発明が解決しようとする課題】
【０００３】
本発明が解決しようとする主たる課題は、そのまま使用に供することができ、しかもトイレットペーパーを、片手で、容易に、最後まで取り出すことができるトイレットペーパー包装品を提供することにある。
【課題を解決するための手段】
【０００４】
この課題を解決した本発明は、次のとおりである。
〔請求項１記載の発明〕
複数枚のトイレットペーパーが積層されてなるトイレットペーパー積層体と、この積層体を包装し、かつ前記トイレットペーパーの取出口が形成された包装材と、を有し、この包装材の上端部がトイレットホルダーに掛止されて吊るされるトイレットペーパー包装品であって、
前記取出口が前記包装材の製品前面となる部位に形成されて、前記積層体が製品前後方向を積層方向として包装されているとともに、前記包装材が柔軟性シートで形成されている、ことを特徴とするトイレットペーパー包装品。
【０００５】
〔請求項２記載の発明〕
前記積層体後面の少なくとも上端部が、前記包装材の製品後面となる部位に接着されている、請求項１記載のトイレットペーパー包装品。
【０００６】
〔請求項３記載の発明〕
前記包装材の前記取出口を除いた少なくとも上端部周りに、弾性伸縮部材が伸張状態で固定されている、請求項１又は請求項２記載のトイレットペーパー包装品。
【０００７】
〔請求項４記載の発明〕
隣接積層されたトイレットペーパーの端部同士が、取出時の負荷で切断される程度に接続されている、請求項１〜３のいずれか１項に記載のトイレットペーパー包装品。
【０００８】
〔請求項５記載の発明〕
前記包装材の上端部が前記積層体の上方において折り畳まれ、かつ、この折り畳み部にミシン目が形成されており、
このミシン目を裂いて、前記折り畳み部に前記トイレットホルダーとの接続部材を収納可能とされ、又は、前記折り畳み部に収納された前記接続部材を露出可能とされている、請求項１〜４のいずれか１項に記載のトイレットペーパー包装品。
【０００９】
〔請求項６記載の発明〕
前記包装材の上端部が、前記積層体の上方においてシールされた第１のシール部と、この第１のシール部の上方に設けられた前記トイレットホルダーとの接続部材の収納部と、この収納部の上方においてシールされた第２のシール部と、を有し、
前記収納部にミシン目が形成されており、
このミシン目を裂いて、前記収納部に前記接続部材を収納可能とされ、又は、前記収納部に収納された前記接続部材を露出可能とされている、請求項１〜４のいずれか１項に記載のトイレットペーパー包装品。
【００１０】
〔請求項７記載の発明〕
前記包装材の上端部に、上下方向に折り畳み可能な前記トイレットホルダーとの接続部材が取り付けられている、請求項１〜４のいずれか１項に記載のトイレットペーパー包装品。
【発明の効果】
【００１１】
本発明によると、そのまま使用に供することができ、しかもトイレットペーパーを、片手で、容易に、最後まで取り出すことができるトイレットペーパー包装品となる。
【発明を実施するための最良の形態】
【００１２】
本発明の実施の形態を説明する。
図１に示すように、本形態のトイレットペーパー包装品１は、複数枚のトイレットペーパー２，２…が積層されてなるトイレットペーパー積層体３と、この積層体３を包装し、かつトイレットペーパー２，２…の取出口６（例えば、図４参照。）が形成された包装材４と、から主になる。本包装品１は、この包装材４の上端部４Ｃが、既存の（既設されている）トイレットホルダー９０を構成し、かつ製品幅方向（紙面前後方向）に延在する円柱状のロール支持部９１に掛止されて吊るされる。このように、本形態の包装品１は、トイレットペーパー２，２…の取出口６を有し、しかも、既存のトイレットホルダー９０に掛止されて吊るされる形態となっているため、そのまま使用に供することができる。また、本形態の包装品１においては、トイレットペーパー２，２…が積層体３の状態で包装されているため、トイレットペーパー２，２…を片手でも取り出すことができる。
【００１３】
さらに、本形態の包装品１においては、取出口６が、包装材４の製品前面となる部位（以下、単に前面部ともいう。）４Ａに形成されている。したがって、かかるトイレットペーパー２，２…の取り出しが、極めて容易である。
【００１４】
本発明の包装品１において、取出口６の形成方法、形状等は、特に限定されない。本形態では、図４に示すように、包装材４の前面部４Ａの幅方向中央部に、上下方向又は左右方向に沿って直線状にミシン目が設けられており、このミシン目が裂かれて取出口６が形成されるようになっている。なお、図４では取出口６が上下方向に設けられているが、左右方向に設けられてもよい。
【００１５】
ところで、このように取出口６を包装材４の前面部４Ａに形成すると、積層体３の積層方向が、製品上下方向（紙面上下方向）ではなく製品前後方向（紙面左右方向）になる。したがって、例えば、トイレットペーパー２，２…が残り少なくなってくると、トイレットペーパー積層体３が下方に崩れてしまいトイレットペーパー２，２…を最後まで取り出すことができなくなる。しかしながら、本形態の包装品１においては、包装材４が柔軟性シートで形成されているので、トイレットペーパー２，２…が残り少なくなってくると、図２に示すように、包装材４の上端部４Ｃ及び下端部４Ｄが下方に落ち込み、包装材４の前面部４Ａ及び製品後面となる部位（以下、単に後面部ともいう。）４Ｂが、前後方向（紙面左右方向）に関して狭まった状態になる。したがって、トイレットペーパー積層体３の下方への崩れ落ちが防止され、トイレットペーパー２，２…を最後まで取り出すことができる。
【００１６】
包装材４を形成する柔軟性シートの素材としては、例えば、不織布、カートンなどを形成することができない、例えば、厚さ２００μｍ以下の薄くて形状保持性を有しない紙、などを例示することができる。ただし、柔軟性とともに熱融着性を有する、いわゆる厚さ８０μｍ以下のピロー素材であるのが好ましい。ピロー素材は、その透明性故に外部からトイレットペーパー２，２…の残量を認識することが可能となる、その柔軟性故に使用者に対する安全性が高い、その液不透過性故にトイレットペーパー２，２…に水がかかって使用不能になるおそれがない、などの利点を有する。
【００１７】
このピロー素材としては、例えば、セロファン、ＰＶＣ（ポリ塩化ビニル）、ＰＥ（ポリエチレン）、ＰＶＤＣ（ポリ塩化ビニリデン）、ＯＰＰ（二軸延伸ポリプロピレン）、ＣＰＰ（無延伸ポリプロピレン）、ＰＥＴ（ポリエチレンテレフタレート）、ＯＮＹ（二軸延伸ナイロン）、ＰＶＡ（ポリビニルアルコール）、ＰＰ（ポリプロピレン）、ＬＬＤＰＥ（直鎖状低密度ポリエチレン）、ＰＰ・ＰＥＴ合成や、シリカ・アルミナ蒸着フィルム、生分解性フィルム等のフィルム、などを例示することができる。
【００１８】
さらに、トイレットペーパー積層体３の下方への崩れ落ちを、より確実に防止するという観点からは、図３に示すように、積層体３後面３ａの少なくとも上端部を、包装材４の後面部４Ｂの内面に、接着剤Ｓ等で接着しておくのが好ましい。
【００１９】
この接着剤Ｓによる接着強度は、例えば、０．０１〜１．４ｃＮ／ｍｍとすることができる。接着強度が０．０１ｃＮ／ｍｍ未満であると、崩れ落ち防止効果が不十分なものとなる。他方、接着強度が１．４ｃＮ／ｍｍを超えると、最後のトイレットペーパー２が、取出時に、破けてしまうおそれがある。
【００２０】
この接着剤Ｓの成分としては、例えば、ホットメルト、合成ゴム系、塩化ビニル樹脂系、ビニルウレタン、エポキシ樹脂、などを例示することができる。また、接着剤Ｓの塗工方法としては、例えば、ロール転写塗工、スプレー塗工、カーテン塗工、などを例示することができる。
【００２１】
トイレットペーパー積層体３の下方への崩れ落ちを、より確実に防止するという観点からは、以上の接着剤Ｓによる接着形態に替えて、又はこの接着形態とともに、次の形態を採用するのが好ましい。
この形態は、図４に示すように、包装材４の取出口６を除いた少なくとも上端部周りに、好ましくは上端部及び下端部周りに、弾性伸縮部材７を伸張状態で固定したものである。弾性伸縮部材７を伸張状態で固定することにより、トイレットペーパー２，２…の残量が少なくなるのに応じて、積層体３にフィットしたかたちで、包装材４が絞られることになる。したがって、トイレットペーパー積層体３の下方への崩れ落ちは、極めて確実に防止される。
【００２２】
図示例では、取出口６が、包装材４前面部４Ａのほぼ上端縁まで延在しているため、弾性伸縮部材７が取出口６近傍において離間した形態になっている。しかしながら、この形態に限定されるものではない。例えば、取出口６が包装材４前面部４Ａの上端縁まで延在していない場合、つまり、取出口６の上端縁が包装材４前面部４Ａの上端縁から離間している場合には、この離間部を通るように、弾性伸縮部材７を包装材４周りに環状に設けてもよい。要は、取出口６を弾性伸縮部材７が跨いでいなければよい。
【００２３】
本形態において、弾性伸縮部材７は、伸縮性を有するものであればよく、その種類は特に限定されない。例えば、伸縮ホットメルト、伸縮フィルム、糸ゴム、平ゴム等を例示することができる。また、この弾性伸縮部材７の素材としては、例えば、スチレン系、オレフィン系、ウレタン系、エステル系のゴムや、ポリウレタン、ポリエチレン、ポリスチレン、スチレンブタジエン、シリコン、ポリエステル等の発泡体などを例示することができる。
【００２４】
以上では、トイレットペーパー積層体３の下方への崩れ落ちを防止するという観点から、接着剤Ｓによる接着形態及び弾性伸縮部材７を伸張状態で固定した形態を説明した。しかしながら、そもそもトイレットペーパー積層体３の下方への崩れ落ちを防止する主たる目的は、トイレットペーパー２，２…を最後まで取り出すためである。そこで、この観点から、以上の形態に替えて、又は、以上の形態とともに、次に示す形態を採用するのも、好ましい形態である。
【００２５】
すなわち、図５の（１）に展開状態を示すように、本形態は、隣接積層されたトイレットペーパー２，２…の端部同士が、取出時の負荷で切断される程度に、図示例ではつなぎ目８，８…が設けられて、接続されている。これにより、上方のトイレットペーパー２が取り出されると、これと隣接積層された下方のトイレットペーパー２の一部が取出口６から露出することになるため、最後の１枚まで確実にトイレットペーパー２を取り出すことができるようになる。
【００２６】
本形態において、トイレットペーパー２，２…は、図５の（２）に示すように、長手方向中央部において幅方向に延在する折目線２ａ，２ａ…で、山折り又は谷折りした状態で積層しておくのが好ましい。この形態によると、トイレットペーパー２が取出後において、自然に折目線２ａ，２ａ…で折り畳まれて使用サイズになるため、片手での取扱いに容易である。
【００２７】
ところで、前述したように、本形態のトイレットペーパー包装品１は、そのまま使用に供するために、包装材４の上端部４Ｃがトイレットホルダー９０に掛止されて吊るされる形態となっている。この具体的な形態は、特に限定されないが、以下に示す形態を推奨する。
【００２８】
本形態においては、図４に示すように、包装材４の上端部４Ｃが、積層体３の上方において、折り畳まれている。この折り畳み部（上端部４Ｃ）は、側面１３及び側面１４が若干内側に押し込まれた状態で、表面１１及び裏面１２の上端部同士が重ね合わされ、この重ね合わせ部分１６がシールされた形状になっている。そして、この折り畳み部（上端部４Ｃ）のいずれか部位には、図示例では、側面１３及び側面１４には、幅方向中央部を上下に延在するミシン目１５，１５が形成されている。
【００２９】
この形態においては、使用時にミシン目１５，１５を裂き、この裂きによって形成された開口から、図６に示すように、折り畳み部（上端部４Ｃ）に、トイレットホルダー９０との接続部材５を収納する。これにより、簡易に、本トイレットペーパー包装品１をトイレットホルダー９０に掛止させて吊るすことができるようになる。
【００３０】
この点、接続部材５は、折り畳み部（上端部４Ｃ）に、あらかじめ収納されていてもよい。あらかじめ収納されている場合は、使用時にミシン目１５，１５を裂き接続部材５を露出させて、本トイレットペーパー包装品１をトイレットホルダー９０に掛止させて吊るすことになる。
【００３１】
本形態において、接続部材５の形状や素材等は、特に限定されず、本トイレットペーパー包装品１をトイレットホルダー９０に掛止可能なものであればよい。図示例では、接続部材５の形状が、製品幅方向に延在する円筒状とされている。したがって、接続部材５の中空部に、トイレットホルダー９０のロール支持部９１が挿入されて掛止されることになる。また、接続部材５の素材としては、例えば、晒パルプ、未晒パルプ、古紙等の、例えば、厚さ５００μｍ以上の厚くて形状保持性を有する紙や、プラスチックなどを、例示することができる。接続部材５を紙で形成する場合は、例えば、トイレットロールペーパーのいわゆる芯などを使用することもできる。
【００３２】
一方、トイレットペーパー包装品１を掛止するための形態としては、次に示す形態も好ましいものである。
【００３３】
本形態においては、図７に示すように、包装材４の上端部４Ｃが、積層体３の上方において、先の形態と同様に、折り畳まれ、この折り畳み部２１上端の重ね合わせ部分が第１のシール部２２とされている。加えて、本形態においては、この第１のシール部２２の上方に設けられたトイレットホルダー９０との接続部材の収納部２３と、この収納部２３の上方においてシールされた第２のシール部２４と、を有する。そして、収納部２３には、適宜の位置に、図示例では、収納部２３の両端部周回りに、ミシン目２５，２５が形成されている。
【００３４】
この形態においては、使用時にミシン目２５，２５を裂き、この裂きによって形成された開口から、収納部２３に、トイレットホルダー９０との接続部材を収納する。これにより、簡易に、本トイレットペーパー包装品１をトイレットホルダー９０に掛止させて吊るすことができるようになる。
【００３５】
この点、接続部材は、収納部２３に、あらかじめ収納されていてもよい。あらかじめ収納されている場合は、使用時にミシン目２５，２５を裂き接続部材を露出させて、本トイレットペーパー包装品１をトイレットホルダー９０に掛止させて吊るすことになる。
【００３６】
本形態においても、接続部材の形状や素材等は、特に限定されず、先の形態と同様にすることができる。
【００３７】
さらに、トイレットペーパー包装品１を掛止するための形態としては、次に示す形態も好ましいものである。
【００３８】
本形態においては、図８に示すように、包装材４の上端部４Ｃに、上下方向に折り畳み可能なトイレットホルダー９０との接続部材３１が取り付けられている。なお、図示例では、上端部４Ｃが、先の形態と同様に折り畳まれた後、接着されて、積層体３の上面に沿うようになっているが、これに限定する趣旨ではない。
【００３９】
この形態においては、使用前には、接続部材３１を折り畳んで搬送に適した状態としておき、使用時には、接続部材３１を開いて、本トイレットペーパー包装品１をトイレットホルダー９０に掛止させて吊るすことができる。
【００４０】
本形態においても、接続部材３１の形状や素材等は、特に限定されず、本トイレットペーパー包装品１をトイレットホルダー９０に掛止可能で、かつ折り畳み可能なものであればよい。具体的には、接続部材３１の形状としては、例えば、先の形態と同様にすることや、四角形、五角形、六角形又はそれ以上の多角形とすることなどができる。また、接続部材３１の素材としては、先の形態と同様にすることができる。
【産業上の利用可能性】
【００４１】
本発明は、そのまま使用に供することができるトイレットペーパー包装品として、適用可能である。
【図面の簡単な説明】
【００４２】
【図１】トイレットペーパー包装品の側面模式図である（トイレットペーパーが減っていない場合）。
【図２】トイレットペーパー包装品の側面模式図である（トイレットペーパーが減った場合）。
【図３】トイレットペーパー包装品の側面要部拡大図である。
【図４】トイレットペーパー包装品の掛止部を示す斜視図である。
【図５】トイレットペーパーの積層状態を説明するための図である。
【図６】トイレットペーパー包装品の掛止部を示す斜視図である。
【図７】トイレットペーパー包装品の掛止部を示す斜視図である。
【図８】トイレットペーパー包装品の掛止部を示す斜視図である。
【符号の説明】
【００４３】
１…トイレットペーパー包装品、２…トイレットペーパー、３…トイレットペーパー積層体、４…包装材、５…接続部材、６…取出口形成用ミシン目、７…弾性伸縮部材、１５，２５…接続部材挿入・露出用ミシン目、９０…トイレットホルダー。
【図１】
2007054210.tif 000003
【図２】
2007054210.tif 000004
【図３】
2007054210.tif 000005
【図４】
2007054210.tif 000006
【図５】
2007054210.tif 000007
【図６】
2007054210.tif 000008
【図７】
2007054210.tif 000009
【図８】
2007054210.tif 000010